(57)【要約】本開示は建物用の周縁安全スクリーンアセンブリに関する。一態様では、周縁安全スクリーンアセンブリは、上側スクリーンアセンブリと、上側スクリーンアセンブリに付加されている、かつ上側スクリーンアセンブリの下で延在している吊り下げスクリーンアセンブリとを備える。一形態では、上側スクリーンアセンブリまたは吊り下げスクリーンアセンブリの少なくとも一方は、上側スクリーンアセンブリが建物で使用されているときに、吊り下げスクリーンアセンブリを付加できる、または上側スクリーンアセンブリから除去できるように構成されている。【選択図】図５
2019515166.tif 000002
【特許請求の範囲】
【請求項１】
建物用の周縁安全スクリーンアセンブリであって、
上側スクリーンアセンブリと、
前記上側スクリーンアセンブリに付加され、かつ前記上側スクリーンアセンブリの下で延在している吊り下げスクリーンアセンブリとを備えることを特徴とする周縁安全スクリーンアセンブリ。
【請求項２】
請求項１に記載の周縁安全スクリーンアセンブリであって、
前記上側スクリーンアセンブリ及び前記吊り下げスクリーンアセンブリの少なくとも一方は、前記上側スクリーンアセンブリが建物で使用されているときに、前記吊り下げスクリーンアセンブリが、前記上側スクリーンアセンブリに付加できるように、または前記上側スクリーンアセンブリから除去できるように構成されたことを特徴とする周縁安全スクリーンアセンブリ。
【請求項３】
請求項１または２に記載の周縁安全スクリーンアセンブリであって、
前記上側スクリーンアセンブリは、前記建物に対して上昇するように構成された上昇スクリーンアセンブリであることを特徴とする周縁安全スクリーンアセンブリ。
【請求項４】
請求項１〜３のいずれか一項に記載の周縁安全スクリーンアセンブリであって、
前記上側スクリーンアセンブリは、前記建物に対して前記周縁安全スクリーンアセンブリを固定するための基部を含み、前記基部にフレームが付属しており、前記フレームにスクリーンが付属していることを特徴とする周縁安全スクリーンアセンブリ。
【請求項５】
請求項１〜４のいずれか一項に記載の周縁安全スクリーンアセンブリであって、
前記吊り下げスクリーンアセンブリは、前記フレームと、前記フレームに付属するスクリーンとを含むことを特徴とする周縁安全スクリーンアセンブリ。
【請求項６】
請求項１〜５のいずれか一項に記載の周縁安全スクリーンアセンブリであって、
前記吊り下げスクリーンアセンブリは、前記上側スクリーンの前記スクリーンの前記建物に対して外側で、前記上側スクリーンアセンブリから垂下することを特徴とする周縁安全スクリーンアセンブリ。
【請求項７】
請求項５または６に記載の周縁安全スクリーンアセンブリであって、
前記上側スクリーンアセンブリは、前記吊り下げスクリーンアセンブリのための少なくとも１つの取付け具を含むことを特徴とする周縁安全スクリーンアセンブリ。
【請求項８】
請求項７に記載の周縁安全スクリーンアセンブリであって、
前記上側スクリーンアセンブリは、複数の取付け具を含むことを特徴とする周縁安全スクリーンアセンブリ。
【請求項９】
請求項７または８に記載の周縁安全スクリーンアセンブリであって、
前記上側スクリーンアセンブリは、垂直方向に互いに離間して配置された複数の取付け具を含むことを特徴とする周縁安全スクリーンアセンブリ。
【請求項１０】
請求項７〜９のいずれか一項に記載の周縁安全スクリーンアセンブリであって、
前記取付け具は、前記上側スクリーンアセンブリの前記スクリーンの外側に配置されたことを特徴とする周縁安全スクリーンアセンブリ。
【請求項１１】
請求項７〜１０のいずれか一項に記載の周縁安全スクリーンアセンブリであって、
前記取付け具は、前記吊り下げスクリーンアセンブリの一部分を入れ子式に受容するためのサドルを有することを特徴とする周縁安全スクリーンアセンブリ。
【請求項１２】
請求項１１に記載の周縁安全スクリーンアセンブリであって、
前記吊り下げスクリーンアセンブリの前記一部分は、クロスメンバアセンブリを有することを特徴とする周縁安全スクリーンアセンブリ。
【請求項１３】
請求項１２に記載の周縁安全スクリーンアセンブリであって、
前記吊り下げスクリーンアセンブリは、垂直方向に互いに離間して配置された複数のクロスメンバアセンブリを含むことを特徴とする周縁安全スクリーンアセンブリ。
【請求項１４】
請求項１２または１３に記載の周縁安全スクリーンアセンブリであって、
前記クロスメンバアセンブリは、前記吊り下げスクリーンアセンブリの前記スクリーンの内側に配置されたことを特徴とする周縁安全スクリーンアセンブリ。
【請求項１５】
請求項８〜１４のいずれか一項に記載の周縁安全スクリーンアセンブリであって、
前記取付け具の各々は、前記サドルへ前記クロスメンバアセンブリの１つの少なくとも一部を導くための取付けガイドを有することを特徴とする周縁安全スクリーンアセンブリ。
【請求項１６】
請求項１２〜１５のいずれか一項に記載の周縁安全スクリーンアセンブリであって、
前記クロスメンバアセンブリは、中央部と、一対の調節可能な端部とを有することを特徴とする周縁安全スクリーンアセンブリ。
【請求項１７】
請求項１６に記載の周縁安全スクリーンアセンブリであって、
前記端部の各々は、中央部に対して格納位置と拡張位置との間を移動可能に構成されていることを特徴とする周縁安全スクリーンアセンブリ。
【請求項１８】
請求項１〜１７のいずれか一項に記載の周縁安全スクリーンアセンブリであって、
前記上側スクリーンアセンブリ及び前記吊り下げスクリーンアセンブリの各々の前記スクリーンは、複数のスクリーンパネルアセンブリを有することを特徴とする周縁安全スクリーンアセンブリ。
【請求項１９】
請求項１８に記載の周縁安全スクリーンアセンブリであって、
各スクリーンパネルアセンブリは、中央部と、一対の調節可能な側部とを有することを特徴とする周縁安全スクリーンアセンブリ。
【請求項２０】
請求項１９に記載の周縁安全スクリーンアセンブリであって、
前記側部の各々は、前記中央部に対して、格納位置と拡張位置との間を移動可能に構成されていることを特徴とする周縁安全スクリーンアセンブリ。
【請求項２１】
建物用の周縁安全スクリーンアセンブリであって、
上側スクリーンアセンブリと、
前記上側スクリーンアセンブリに付加され、前記上側スクリーンアセンブリの下で延在する吊り下げスクリーンアセンブリとを備え、
前記上側スクリーンアセンブリまたは前記吊り下げスクリーンアセンブリの少なくとも一方は、前記上側スクリーンアセンブリが建物で使用されているときに、前記吊り下げスクリーンアセンブリが、前記上側スクリーンアセンブリに付加できるように、または前記上側スクリーンアセンブリから除去できるように構成されたことを特徴とする周縁安全スクリーンアセンブリ。
【請求項２２】
建物用の周縁安全スクリーンアセンブリのための吊り下げスクリーンアセンブリであって、
前記周縁安全スクリーンアセンブリは、
上側スクリーンアセンブリと、
前記上側スクリーンアセンブリに付加され、かつ前記上側スクリーンアセンブリの下で延在するように構成された吊り下げスクリーンアセンブリとを備えることを特徴とする吊り下げスクリーンアセンブリ。
【請求項２３】
建物用の周縁安全スクリーンアセンブリのための上側スクリーンアセンブリであって、
前記周縁安全スクリーンアセンブリは、
上側スクリーンアセンブリと、
吊り下げスクリーンアセンブリとを備え、
前記上側スクリーンアセンブリは、前記吊り下げスクリーンアセンブリの付加をできるように、かつ前記吊り下げスクリーンアセンブリが前記上側スクリーンアセンブリの下で延在をできるように構成されたことを特徴とする上側スクリーンアセンブリ。
【発明の詳細な説明】
【技術分野】
【０００１】
（関連出願）
本出願は、２０１６年５月１９日に出願されたオーストラリア仮特許出願第２０１６９０１８７８号「HANGING SCREEN」、及び２０１６年１０月５日に出願されたオーストラリア仮特許出願第２０１６９０４０４７号「A PERIMETER SAFETY SCREEN ASSEMBLY」に基づく優先権を主張するものであり、当該特許出願の内容は、参照により本明細書に援用される。
【０００２】
（参照による引用）
以下の刊行物は本出願で参照され、その内容は全体が参照により本明細書に組み込まれている。Formula One Self Driving Screens Pty Ltd名義での国際特許出願ＰＣＴ／ＡＵ２００３／００１１１２号「A LIFTING OR TRANSPORTING MEANS USING A RECIPROCATING JACK」。
【０００３】
（技術分野）
本開示は、建物用の周縁安全スクリーンアセンブリに関する。
【背景技術】
【０００４】
周縁安全スクリーンは、一般的に、建築中の建物のフロアの端で境界または遮蔽を提供するために用いられている。
【０００５】
望ましくは、安全スクリーンは、建物の新しく建築中のフロア用の型枠を組んでいる作業員を保護するために、最上の完成したフロアの上方で延在し、窓または外壁の仕上げを行う下のフロアに垂れ下がる。しかし、スクリーンサイズについての主な制限は、安全スクリーンが通常セミトレーラーで運ばれ、その後クレーンで配置されることである。このことは、スクリーン及び／またはスクリーンの部材に物理的な寸法の制限を課す。
【０００６】
この背景、問題、及びこれらと関連する困難に対して、本発明が開発された。
【０００７】
本発明の複数の目的と長所は、本発明の実施形態が開示された図示と例示によって、本明細書中で添付の図との関連を取り入れて、以下の記述から明らかとなる。
【発明の概要】
【課題を解決するための手段】
【０００８】
第一の態様によれば、建物用の周縁安全スクリーンアセンブリが提供されている。周縁安全スクリーンアセンブリは、上側スクリーンアセンブリと、上側スクリーンアセンブリに付加（懸架、吊り下げ）され、かつ上側スクリーンアセンブリの下で延在する吊り下げスクリーンアセンブリとを備える。
【０００９】
一形態では、上側スクリーンアセンブリまたは吊り下げスクリーンアセンブリの少なくとも一方は、上側スクリーンアセンブリを建物で使用しているときに、吊り下げスクリーンアセンブリが、上側スクリーンアセンブリに付加ができるように、または上側スクリーンアセンブリから除去ができるように構成されている。
【００１０】
一形態では、上側スクリーンアセンブリは、吊り下げスクリーンアセンブリが付加できるように構成されている。
【００１１】
一形態では、吊り下げスクリーンアセンブリは、上側スクリーンアセンブリに付加するように構成されている。
【００１２】
一形態では、吊り下げスクリーンアセンブリは、上側スクリーンアセンブリから垂下（depend）する。
【００１３】
一形態では、吊り下げスクリーンアセンブリは、上側スクリーンアセンブリから延在している。
【００１４】
一形態では、上側スクリーンアセンブリは上昇スクリーンアセンブリである。すなわち、それは、建設作業の進捗に合わせて、建物に対して上昇するように構成されている。
【００１５】
代替の一形態では、上側スクリーンアセンブリは、上昇スクリーンアセンブリではなく、クレーンまたはウインチシステム等の、外部の手段による再配置が必要となる。
【００１６】
一形態では、上側スクリーンアセンブリは、建物に対して周縁安全スクリーンアセンブリを固定するための基部を含む。基部にフレームが付属しており、フレームにスクリーンが付属している。
【００１７】
一形態では、上側スクリーンアセンブリは、スクリーンの内側に少なくとも１つの作業床（platform）を含み、建物に向かって延在している。
【００１８】
一形態では、上側スクリーンアセンブリは、垂直方向に互いに離間して配置された複数の作業床を含む。
【００１９】
一形態では、吊り下げスクリーンアセンブリは、フレームと、フレームに付属しているスクリーンとを含む。
【００２０】
一形態では、各スクリーンは、複数のスクリーンパネルを有している。
【００２１】
一形態では、各スクリーンパネルは、フレームと、インフィルパネル（infill panel）とを有する。
【００２２】
一形態では、インフィルパネルは、メッシュを有する。代替として、インフィルパネルは中実なパネルを有する。
【００２３】
一形態では、吊り下げスクリーンアセンブリは、さらに、スクリーンの内側に少なくとも１つの作業床を有し、建物に向かって延在している。
【００２４】
一形態では、吊り下げスクリーンアセンブリは、垂直方向に互いに離間して配置された複数の作業床を含む。
【００２５】
一形態では、各作業床は、吊り下げスクリーンアセンブリのクレーン移動を促進するために、着脱可能であるか、または拡張位置と格納位置との間を移動可能に構成されている。
【００２６】
一形態では、吊り下げスクリーンアセンブリは、上側スクリーンアセンブリのスクリーンの建物に対して外側で、上側スクリーンアセンブリから垂下する。
【００２７】
一形態では、代替として、吊り下げスクリーンアセンブリは、上側スクリーンアセンブリのスクリーンの建物に対して内側で、上側スクリーンアセンブリから垂下する。
【００２８】
一形態では、代替として、吊り下げスクリーンアセンブリは、上側スクリーンアセンブリの下端部から垂下する。
【００２９】
一形態では、吊り下げスクリーンアセンブリのスクリーンは、上側スクリーンアセンブリのスクリーンに連なって形成する。
【００３０】
一形態では、上側スクリーンアセンブリは、吊り下げスクリーンアセンブリを吊るすことが可能な、少なくとも１つの取付け具を含む。
【００３１】
一形態では、上側スクリーンアセンブリは、複数の取付け具を含む。
【００３２】
一形態では、上側スクリーンアセンブリは、垂直方向に互いに離間して配置された複数の取付け具を含む。
【００３３】
一形態では、各取付け具は、上側スクリーンアセンブリのスクリーンの外側に配置されている。
【００３４】
一形態では、各取付け具は、吊り下げスクリーンアセンブリの一部分を、入れ子式（nestably）に受容するためのサドル（saddle）を有する。
【００３５】
一形態では、吊り下げスクリーンアセンブリの一部分は、吊り下げスクリーンアセンブリ用のクロスメンバアセンブリ（crossmember assembly）である。これに関連して、クロスメンバアセンブリは、フレームに支持を追加する横方向に延在するアセンブリ（transverse assembly）である。
【００３６】
一形態では、代替として、吊り下げスクリーンアセンブリの一部分は、吊り下げアセンブリ用のクロスメンバである。これに関連して、クロスメンバは、フレームに支持を追加する横方向に延在する部材（transverse piece）である。
【００３７】
一形態では、各取付け具は、サドルにクロスメンバの１つを導くために、外向きに伸長し上向きに角度のある（またはフック状の）取付けガイドを有する。
【００３８】
一形態では、クロスメンバアセンブリは、長さ調節手段を有する。
【００３９】
一形態では、クロスメンバアセンブリは、中央部と、一対の調節可能な端部とを有する。
【００４０】
一形態では、各端部は、中央位置に対して格納位置と拡張位置との間で移動可能に構成されている。
【００４１】
一形態では、上側スクリーンアセンブリと吊り下げスクリーンアセンブリのそれぞれのスクリーンは、複数のスクリーンパネルアセンブリを有する。
【００４２】
一形態では、各スクリーンパネルアセンブリは、幅調節手段を有する。
【００４３】
一形態では、スクリーンパネルアセンブリは、中央部と、一対の調節可能な側部とを有する。
【００４４】
一形態では、各側部は、中央部に対して、格納位置と拡張位置との間で移動可能に構成されている。
【００４５】
一形態では、代替として、取付け具及びクロスメンバアセンブリの配列は、上側スクリーンアセンブリ及び吊り下げスクリーンアセンブリにおいて逆にすることが可能である。
【００４６】
さらなる態様によって、建物用の周縁安全スクリーンアセンブリのための吊り下げスクリーンアセンブリが提供されている。この周縁安全スクリーンアセンブリは、上側スクリーンアセンブリと、吊り下げスクリーンアセンブリとを備え、この吊り下げスクリーンアセンブリは、上側スクリーンアセンブリに付加され、上側スクリーンアセンブリの下で延在するように構成されている。
【００４７】
さらなる態様によって、建物用の周縁安全スクリーンアセンブリのための上側スクリーンアセンブリが提供されている。この周縁安全スクリーンアセンブリは、上側スクリーンアセンブリと、吊り下げスクリーンアセンブリとを備え、この上側スクリーンアセンブリは、吊り下げスクリーンアセンブリを付加できるように、かつ吊り下げスクリーンアセンブリがこの上側スクリーンアセンブリの下で延在できるように構成されている。
【００４８】
さらなる態様によって、建物用の周縁安全スクリーンアセンブリが提供されている。この周縁安全スクリーンアセンブリは、第一のスクリーンアセンブリと、第一のスクリーンアセンブリに付加する第二のスクリーンアセンブリとを備え、第一のスクリーンアセンブリ、または第二のスクリーンアセンブリの少なくとも一方は、第一のスクリーンアセンブリが建物で使われているときに、第二のスクリーンアセンブリが、第一のスクリーンアセンブリに付加できるように、かつ第一のスクリーンアセンブリから除去できるように構成されている。
【００４９】
記述を容易にするために、本発明を実施する周縁安全スクリーンアセンブリは、添付の図で示されるように通常の構築位置で後述されている。例えば正面、背面、上側、下側、水平、長手等の表現は、この通常の構築位置を参照して使用され得る。なお、この周縁安全スクリーンアセンブリは、本明細書の記載及び図示と異なる方針での製造、輸送、または販売をされ得る。
【００５０】
本発明における１つまたは複数の実施形態の詳細な記述は、本発明の原理を例示するために描かれた添付の図に沿って以下に提供されている。本発明は、実施形態と関連して記載されているが、本発明がいずれかの実施形態に限定されないことは理解されたい。反対に、本発明の範囲は、添付の請求項によってのみ限定され、本発明は多数の代替手段となる変更及び均等物を包含する。例示を目的として、多数の具体的な詳細が、本発明の詳細な理解を提供するために以下の記述に記載されている。
【００５１】
本発明は、これらの具体的な詳細の一部または全部を伴わずとも、請求項に従った実施をされ得る。明瞭化を目的として、本発明に関連する技術分野における既知の技術資料は、本発明が不必要に曖昧とならないように、詳細を記載していない。
【図面の簡単な説明】
【００５２】
本発明の実施形態は、本明細書に添付の図を参照して記述される。
【００５３】
【図１】第一の実施形態による周縁安全スクリーンアセンブリの概略側面図
【図２】第二の実施形態による周縁安全スクリーンアセンブリの概略側面図
【図３】図２の周縁安全スクリーンアセンブリの正面図
【図４】図２の周縁安全スクリーンアセンブリの平面図
【図５】第三の実施形態による周縁安全スクリーンアセンブリの概略側面図
【図６】図５の周縁安全スクリーンアセンブリの展開側面図
【図７】図５の周縁安全スクリーンアセンブリの正面図
【図８】図５の周縁安全スクリーンアセンブリの、ホイスティングフレームアセンブリ（クロスメンバアセンブリ）をさらに説明した平面図
【図９】図５のウインチ１８４０の周囲を詳細に示す図
【図１０】図８及び図９で説明されたホイスティングフレームアセンブリ（クロスメンバアセンブリ）の正面図
【図１１】図１０のホイスティングフレームアセンブリ（クロスメンバアセンブリ）の平面図
【図１２】図１０のホイスティングフレームアセンブリ（クロスメンバアセンブリ）の中央部の正面図
【図１３】図１２の中央部の平面図
【図１４】図１０のホイスティングフレームアセンブリ（クロスメンバアセンブリ）の端部の正面図
【図１５】図１４の端部の平面図
【図１６】図１４の端部に対する端部プレートの詳細図
【００５４】
以下の記述において、同じ参照番号の指定は、図の全体を通して同様な、または同じパーツである。
【発明を実施するための形態】
【００５５】
図１の参照により、建築中の多層の建物の完成したフロア２に付属（depending）している周縁安全スクリーンアセンブリ１が示されている。
【００５６】
周縁安全スクリーンアセンブリ１は、建物の外周を囲んで延在し、最上の完成したフロアの上方で、主に新しいさらに上のフロアのための型枠を組んでいる作業員の保護のために使用される上側スクリーンアセンブリ５０を備える。
【００５７】
上側スクリーンアセンブリ５０は、複数のスクリーンパネル５４を有するスクリーン５２を含む。各スクリーンパネル５４は、パネルフレーム及び（この場合はメッシュの）インフィルパネルを有し、各スクリーンパネル５４は、フレーム６０に付属（depend）する。この実施形態では、フレーム６０は、概して直方体状の立体骨組構造を有し、かつ複数のフレーム梁６４と斜めに支える支柱６６によって架設された、互いに離間して配置された複数のフレーム柱６２を有する。
【００５８】
フレーム６０は、さらに、少なくとも１組の垂直なブラケット柱７０を有する。図１で示されたように、各ブラケット柱７０は、ブラケット柱７０及びフレーム柱６２の長さ方向に沿って均等に離間して配置された複数のジョイナー６８によって、フレーム柱６２に間隙をもって接続されている。ジョイナー６８は、ブラケット柱７０より細い。その結果、ブラケット柱７０と、フレーム柱６２と、ジョイナー６８との間に画定された空間によって形成された一続きの細長いスロットが生じる。この細長いスロットの機能は、以下にさらに記述される。
【００５９】
各ブラケット柱７０は、フロア２のスラブに対して順々に固定された（針または基部とも呼ばれる）水平支持部材９０（horizontal support beam）に付属する、（支承とも呼ばれる）ブラケット８０上で支えられている。
【００６０】
各ブラケット８０は、各ブラケット柱７０の正面その一部が位置する前端部でフランジを有する、一対のサイドプレートを含む。１つまたは各サイドプレートは、ブラケット８０をブラケット柱７０へ固定できるように、蝶番であるか、または分離ができる。
【００６１】
各ブラケット８０は、ブラケット８０に対して一方向にだけブラケット柱７０の移動が可能なように設計されたラッチ手段を含む。ラッチ手段（不図示）は、サイドプレートの１つの上側縁部にヒンジ結合されたバーを有する。バーは、反対側のサイドプレートの上側表面に当接するように、ブラケット８０を横切って延在する。バーは、ブラケット８０、フレーム柱６２、ジョイナー６８により画定された空間によって形成された細長い開口を通過して延在できるように配置されている。
【００６２】
フレーム６０は、上側スクリーンアセンブリ５０のスクリーン５２が完成したスラブ２（完成したフロア２）の端から水平方向に互いに離間して配置できるように、スクリーン５２とブラケット柱７０との間に介在する。このようにして、フレーム６０のフレーム梁６４は、これらのフレーム梁６４に架設された足場板によって形成された１つまたは複数の作業床（または通路）に対する支持を提供できる。このように、フロア２を形成するスラブ２の端部への通行手段が提供されている。
【００６３】
周縁安全スクリーンアセンブリ１は、上側スクリーンアセンブリ５０に付加（懸架、吊り下げ）され、建物の周縁で延在し、上側スクリーンアセンブリ５０の下方で窓及び／または外壁の仕上げを行う下のフロアに垂れ下がる、吊り下げスクリーンアセンブリ１５０をさらに備える。
【００６４】
吊り下げスクリーンアセンブリ１５０は、フレーム１５１及び複数のスクリーンパネル１５４を有するスクリーン１５２を含む。
【００６５】
この吊り下げスクリーンアセンブリ１５０を設置するために、上側スクリーンアセンブリ５０は、吊り下げスクリーンアセンブリ１５０に対する複数の取付け具１００を含む。各取付け具１００は、吊り下げスクリーンアセンブリ１５０のクロスメンバ１６０を入れ子式（nestably）に受容するためのサドル１０２（saddle）と、サドル１０２にクロスメンバの１つを導入するための、上向きに角度がある（またはフック状の）外向きに延在する取付けガイド１０４とを有する。
【００６６】
取付け具１００に設置するために、フレーム６０の各フレーム梁６４は、所定の長さの正方形断面の中空スチール部分を含む。各取付け具１００は同様に、（建物の外側から）フレーム６０のフレーム梁６４の１つに挿入可能な大きさに形成された所定の長さの正方形断面の中空スチール部分を受容する。各フレーム梁６４及び各取付け具１００は、フレーム６０のフレーム梁６４に取付け具１００を固定するための、ピン（またはボルト）の受容を目的とした多数のピン孔を有する。
【００６７】
使用中は、吊り下げスクリーンアセンブリ１５０は、所定の場所へ（クレーンを使ってポイントに持ち上げる）吊り上げられ、取付けガイド１０４は、吊り下げスクリーンアセンブリ１５０がクレーンによって下ろされたとき、取付け具１００のサドル１０２へ吊り下げスクリーンアセンブリ１５０を導く。吊り下げスクリーンアセンブリ１５０は、上側スクリーンアセンブリ５０の建物に対して外側を向いた面の下端部と部分的に重なる。
【００６８】
周縁安全スクリーンアセンブリ１は、さらに、建物に対して上昇する手段を備える。この手段の一実施形態の詳細な記載は、「ＰＣＴ／ＡＵ２００３／００１１１２」で確認でき、少なくとも参照により本明細書に組み込まれている。なお、代替の上昇機構、またはクレーンやウインチ等を使うような外部の上昇手段が用いられ得ることは理解されたい。
【００６９】
一実施形態では、上昇手段は、２つの油圧シリンダ（これらのシリンダは、パワースクリューまたは機械式ジャッキに置き換えてもよい）を含む。各油圧シリンダは、その下端部が、水平支持部材９０に取り付けられたブラケット８０に配置され、その上端部が、水平支持部材９０に取り付けられていない別のブラケット８０に配置され、それらの間に延在している。２つの油圧シリンダについて記述したが、３つ以上の油圧シリンダも使用され得る。２つ以上の油圧シリンダを使う場合における重要な必要条件は、各シリンダの伸長レートが十分に均等となることである。これは、油圧調節の分野の当業者によって容易に得られる。追加で、単一の油圧シリンダが使われたシステムが提供されている。この場合では、追加の水平支持部材９０が、油圧シリンダと同じレベルか、上か、またはその下で、油圧シリンダの横方向に離間して配置されている。
【００７０】
操作中は、油圧シリンダが伸長するとき、油圧シリンダの上端のブラケット８０におけるラッチ手段は、ジョイナー６８に当接し、その結果ブラケット柱７０を持ち上げる。フレーム６０の上向きの動きは、残りのブラケット８０によって阻止されない。バーは、ジョイナー６８の通過を可能とするために、必要に応じて上向きにヒンジする。
【００７１】
使用中は、ブラケット柱７０が上向きに動くと、ある時点でジョイナー６８がラッチバーの底面に当接する。ブラケット柱７０の上方移動が継続されると、バーは上向きにヒンジし、ジョイナー６８が通過できるようになり、その後すぐに、バーは、隣接するサイドプレートの上側表面に当接するために再び下向きにヒンジする。
【００７２】
ジョイナー６８は、油圧シリンダの最大伸長時に、油圧シリンダの下端部のブラケット８０及び残りのブラケット８０におけるラッチ手段を丁度通過するように、互いに間隙を隔てて配置されている。したがって、油圧シリンダの収縮は、ジョイナー６８が油圧シリンダの下端部に接するブラケット８０上のバーの上側表面に当接する時、ブラケット柱７０が留められている状態となる。油圧シリンダの上端部のブラケット８０におけるラッチ手段は、ブラケット８０が最下位置に到達するまで、ブラケット柱７０に対する下向きの移動を可能とするように作動する。この場合も、ブラケット８０は、油圧シリンダの伸長の開始時のような、ジョイナー６８に対する好適な配置ができるように設計をされ、油圧シリンダの上端部のブラケット８０のバーは、ブラケット柱７０の上昇の再開のために、再度ジョイナー６８と連動する。
【００７３】
この場合、ブラケット柱７０は、水平支持部材９０に対して好適に上昇されている。明らかに、比較的短いストロークの油圧シリンダは、フレーム６０を上昇するために効果的に使用ができる。
【００７４】
上側スクリーンアセンブリ５０の下端部が水平支持部材９０に対して最上の位置に到達すると、その次には、さらに上方へ油圧シリンダを再配置するための単純なプロセスが存在する。図２で示したように、油圧シリンダは、その下端のブラケット８０から取り外すことができる。上側のブラケット８０は、ブラケット柱７０から取り外されている。下側のブラケット８０は、油圧シリンダが取り外されても、フレーム６０を支持し続ける。
【００７５】
追加の支持を提供するために、さらなる水平支持部材９０とブラケット８０が、油圧シリンダの位置の上または下のフロアで固定され得る。
【００７６】
使用中は、吊り下げスクリーンアセンブリ１５０は、上側スクリーンから下側に吊り下げられ、作業員が、建物の特に下のフロアの外観工事を終了する間の防護を提供する。上側スクリーンアセンブリ５０が上昇するとき、そこから吊り下げられた吊り下げスクリーンアセンブリ１５０は、それと共に上昇する。
【００７７】
吊り下げスクリーンアセンブリ１５０は、さらに、フレーム１５１から建物に向かって、これらの間にある間隙を実質的に架設するために、１つまたは複数の作業床または通路１７０を含む。
【００７８】
通路１７０の延在を可能とするために、吊り下げスクリーンアセンブリ１５０は、複数の通路取付け具１８０を含む。各通路取付け具１８０は、吊り下げスクリーンアセンブリ１５０のフレーム１５１に対して固定したブラケットを有する。各ブラケットは、片持ち様式の通路支持梁部材１７４の端部を受容するためのソケットを有する。多数のボルト孔が各通路支持梁部材１７４に沿って延在し、使用中は、ボルトが通路取付け具１８０に対して通路支持梁部材１７４を解放可能に取り付けるためのこれらの孔を介して通過できる。
【００７９】
通路取付け具１８０は、（吊り下げスクリーンアセンブリ１５０の側面を横切って延在する）グループ単位で配置され、各グループは、吊り下げスクリーンアセンブリ１５０のフレーム１５１に沿って縦方向に離間して配置されている。このようにして、通路１７０は、建物のフロアレベルに合う配置が可能である。
【００８０】
通路１７０のためのさらなる安定性が、筋交いによって提供され得る。筋交い１７６の一例は、吊り下げスクリーンアセンブリ１５０のフレーム１５１と、通路支持梁部材１７４との間で延在し、別の筋交い１７８の一例は、垂直に隣り合う通路１７０の通路支持梁部材１７４間で延在する。
【００８１】
必要なら、通路１７０は除去、または開位置と閉位置との転換が可能であり、スクリーン１５２と、フロア２の端部との間に存在する空間は、フロア２間で物体を通すために使用されている。一例では、小型クレーンは、窓またはクラッディングパネル（cladding panels）などの物体を所定の場所に配置及び固定するときにそれらの重量を支持しながら、窓またはクラッディングパネルなどを、上のフロアから、建物の周縁部（スクリーンの内側）の意図した場所へ下ろすのに使用される。
【００８２】
図２−４の記載によって、さらなる実施形態の周縁安全スクリーンアセンブリ１ａが説明されている。図１の周縁安全スクリーンアセンブリ１に示された対応するパーツと同一（または類似）の周縁安全スクリーンアセンブリ１ａのパーツは、同じ参照番号によって示され、詳細の再度の記述をしない。
【００８３】
周縁安全スクリーンアセンブリ１ａでは、上側スクリーンアセンブリ５０のスクリーン５２用のフレーム６０の外側のフレーム柱６２は、スクリーン５２がより高くまで延在できるように、内側のフレーム柱６２より高くまで延在している。これによって、建物の最上部にいる作業員のための、保護の量の増加を提供している。
【００８４】
図２−４の記載によって、別の実施形態による周縁安全スクリーンアセンブリ１０００を説明している。図１の周縁安全スクリーンアセンブリ１に示された、対応するパーツと同一（または類似）の周縁安全スクリーンアセンブリ１０００のパーツは、同じ参照番号によって示され、詳細の再度の記述をしない。
【００８５】
周縁安全スクリーンアセンブリ１０００は、複数のスクリーンパネルアセンブリ１０５４を有するスクリーン１０５２を含む、上側スクリーンアセンブリ１０５０を備える。
【００８６】
図７、８、及び９の記載で、各スクリーンパネルアセンブリ１０５４は、中央部１０５４ａ、及び一対の調節可能な側部１０５４ｂを有することが示されている。各側部１０５４ｂは、中央部１０５４ａに対して格納位置と、拡張位置との間を移動可能に構成されている。格納位置では、側部１０５４ｂは、中央部１０５４ａと上側（外側）で重なり合うか、または下側（内側）で重なり合い、拡張位置では、各側部１０５４ｂは、中央部１０５４ａの側端部から延在する。さらに、この実施形態では、各側部１０５４ｂは、中央部１０５４ａに対して拡大及び縮小する。つまり、各側部１０５４ｂは、中央部１０５４ａの側端部のスロットに摺動可能に受容されている。このようにして、各スクリーンパネルアセンブリ１０５４は、側部１０５４ｂの拡張による拡大、または格納による縮小が可能とされている。スクリーンパネルアセンブリ１０５４の拡大によって、隣り合う周縁安全スクリーンアセンブリ１０００間の間隙は閉塞されている。スクリーンパネルアセンブリ１０５４の縮小は、運送及び運搬作業をしている間、特に使用位置への吊り上げ、使用位置からの除去のときに有益である。
【００８７】
周縁安全スクリーンアセンブリ１０００は、上側スクリーンアセンブリ１０５０に付加され、かつ建物の外周で延在し、上側スクリーンアセンブリ１０５０の下かつ窓及び／または外壁の仕上げを行う下のフロアに垂れ下がる、吊り下げスクリーンアセンブリ１１５０をさらに備える。
【００８８】
吊り下げスクリーンアセンブリ１１５０は、フレーム１１６０を含み、複数のスクリーンパネルアセンブリ１０５４が、フレーム１１６０に付属している。つまり、各スクリーンパネルアセンブリ１０５４は、中央部１０５４ａと、一対の調節可能な側部１０５４ｂとを有する。各側部１０５４ｂは、前述したように、中央部１０５４ａに対して格納位置と拡張位置との間を移動可能に構成されている。
【００８９】
吊り下げスクリーンアセンブリ１１５０のためのフレーム１１６０は、全てのスクリーンパネルアセンブリ１０５４が付属している一対の互いに離間して配置された細長い支持体１１６１を有する。
【００９０】
図１０−１６の記載によって、クロスメンバアセンブリ２０００が説明されている。クロスメンバアセンブリ２０００は、中央部２０００ａと、一対の調節可能な端部２０００ｂとを有する。各端部２０００ｂは、中央部２０００ａに対して格納位置と拡張位置とを有する。
【００９１】
中央部２０００ａは、正方形断面の中空部分（ＳＨＳ）（square hollow section）の形状である梁部２００２を有する。各端部２０００ｂは、中央部２０００ａの端部を摺動可能に受容することができる大きさに形成された、ＳＨＳのスリーブ２００４を有する（なお、受容の順番は逆であってもよい）。各端部２０００ｂは、スリーブ２００４から延在する持ち上げラグ２００６を有し、スリーブ２００４は、取付けプレート２００８で終端する。
【００９２】
中央部２０００ａは、その両端部で、または両端部に向かって、互いに離間して配置された複数の孔２０１０を有し、同様に、各端部２０００ｂのスリーブ２００４は、互いに離間して配置された複数の孔２０１２を有する。使用中は、中央部２０００ａに対する各端部２０００ｂの位置は調節が可能で、適切なピンまたはボルトが、位置を合わせられた中央部２０００ａ及び各端部２０００ｂのそれぞれの孔２０１０及び孔２０１２を介して通過することによって長さを設定されている。
【００９３】
使用中は、１つまたは複数のクロスメンバアセンブリ２０００は、伸ばされ、かつ互いに離間して配置された縦長の支持体１１６１の間に（ボルト固定または溶接によって）固定されている。使用中は、クロスメンバアセンブリ２０００は、持ち上げラグ２００６に対してクレーンフックを取り付けることによって、吊り下げスクリーンアセンブリ１１５０を引き上げるために用いられている。さらに、クロスメンバアセンブリ２０００の一部分は、上側スクリーンアセンブリ１０５０から吊り下げスクリーンアセンブリ１１５０を吊り下げるために、取付け具１００での受容が可能である。
【００９４】
クロスメンバアセンブリ２０００は、その数及び位置が、重量及びバランスの両方、かつ特定の装置の構造要件に適合するように、必要に応じて調節及び設定可能に構成するために、吊り下げスクリーンアセンブリ１１５０から分離可能に設計されている。
【００９５】
クロスメンバアセンブリ２０００は、取付けと除去の補助のために長さが調節可能なように、かつ（特に幅の）寸法が異なる吊り下げスクリーンアセンブリ１１５０の設置が可能であるように設計されている。
【００９６】
図９では、図５のウインチ１８４０の周囲の詳細な記載により、上側スクリーンアセンブリ１０５０に付属するウインチレール１８００が説明されている。ウインチキャリッジ１８２０はウインチレール１８００に付属し、ウインチ１８４０はウインチキャリッジ１８２０に順々に付属する。
【００９７】
ウインチレール１８００は、上側スクリーンアセンブリ１０５０の下端を横向きに渡って延在しているＩ形梁部材１８０２を有する。Ｉ形梁部材１８０２は、その上側フランジ１８０４で、上側スクリーンアセンブリ１０５０のフレーム６０にボルト止めされている。
【００９８】
ウインチキャリッジ１８２０は、一般的な平行フランジ横断面の本体１８２２を有するヨークローラー装置を含む。この平行フランジ横断面は、フロア１８２４と、そこから上向きに伸長している１組の平行フランジ１８２６とを有する。ローラー１８２８は、Ｉ形梁部材１８０２の両側に、かつＩ形梁部材１８０２の下側フランジ１８０６に沿って動くように配置されている。
【００９９】
アイボルト１８３０が、平行フランジ横断面のフロア１８２４を通過して延在する。ウインチ１８４０は、このアイボルト１８３０から吊り下げられている。
【０１００】
ウインチ１８４０は、下のフロアからパネルを吊り上げるために使用されている。パネルは、下のフロアで水平に積み上げられ、各パネルは、ウインチラインに接続され、垂直に吊り上げられる。ウインチ１８４０は、パネルを嵌め込む場所へ、ウインチレール１８００に沿って横方向に移動が可能である。
【０１０１】
吊り下げスクリーンアセンブリ１１５０は、さらに、建物方向に向かって延在する１つまたは複数の作業床または通路１７０を含み得る。任意選択で、１つまたは複数のこれらの作業床または通路１７０は、スクリーンパネルアセンブリ１０５４の先端にあるフラップ１９０を有し得る。フラップ１９０は、作業床１７０（通路１７０）と建物との間にある間隙をフラップ架橋（及び閉塞）する閉塞位置と、間隙が閉塞されていない開放位置とを移動するように構成されている。各フラップ１９０が開放されたとき、外付け窓またはクラッディングパネルは、ウインチ１８４０を使用して上方から取付け位置へ吊り下げが可能で、安全スクリーンの内側の作業床１７０（通路１７０）上に立つ作業員によって固定されている。
【０１０２】
本開示による周縁安全スクリーンアセンブリは、面積の大きいスクリーンの運搬及び組み立てに関する課題を克服した、より広い遮蔽の範囲または領域を提供する。
【０１０３】
明細書と請求項の全域にわたって記載された、「備える、含む、有する（comprise）（include）」、また変形の「備えている、含んでいる、有している（comprising）（including）」は、文脈上異なる意味に解釈する必要がない限り、論述された整数または整数のグループの包含を意味することを理解されたく、あらゆる他の整数または整数のグループを除外しない。
【０１０４】
本明細書におけるあらゆる先行技術の記載は、それらが技術常識の一部を形成するというあらゆる示唆の認定を意図せず、また意図していると解釈されてはならない。
【０１０５】
本発明は、本明細書に記載された特定の用途に限定されないことが、当業者により理解されるであろう。同様に、本発明は、本明細書に記述または図示された特定の要素及び／または特徴に関して、好ましい実施形態に限定されない。本発明は、開示された１つまたは複数の実施形態に限定されず、特許請求の範囲により明記及び規定された本発明の範囲から逸脱することなく、多くの再構成、変更及び要素の代用が可能であることを理解されるだろう。
【図１】
2019515166.tif 000003
【図２】
2019515166.tif 000004
【図３】
2019515166.tif 000005
【図４】
2019515166.tif 000006
【図５】
2019515166.tif 000007
【図６】
2019515166.tif 000008
【図７】
2019515166.tif 000009
【図８】
2019515166.tif 000010
【図９】
2019515166.tif 000011
【図１０】
2019515166.tif 000012
【図１１】
2019515166.tif 000013
【図１２】
2019515166.tif 000014
【図１３】
2019515166.tif 000015
【図１４】
2019515166.tif 000016
【図１５】
2019515166.tif 000017
【図１６】
2019515166.tif 000018
【国際調査報告】
2019515166.tif 000019
2019515166.tif 000020
2019515166.tif 000021
2019515166.tif 000022